(57)【要約】      （修正有）【課題】映像画像表示装置、表示物、展示物などのディスプレイの載置具にて、人の形を模した形状の意匠性に富んだディスプレイ載置具としながらも、狭い場所でも安定させて載置できるディスプレイ載置具を提供する。【解決手段】台１の上に、人の大腿形状の載置具２が置かれる。人の大腿形状の載置具２の上に取付板８などによりディスプレイ９が取付けられる。人の大腿形状載置具２の上にディスプレイ９が座った人の大腿部の上に載る形となるので、通常に人が座った時に物を抱えるもしくは、載せる形と同じになるために安定して載置することが出来る。また、人の手形状の支え部１０がディスプレイ９を支えることにより、更に安定させてディスプレイを載置することが可能となる。【選択図】図１
0003202787.tif 000002
【実用新案登録請求の範囲】
【請求項１】
人の形状を模した造形物のディスプレイ載置具にて、人の大腿形状を模した造形物の上部をディスプレイの載置部とするディスプレイ載置具
【請求項２】
前記ディスプレイ載置具にて、片側もしくは両側に支えの手形を模した造形物がディスプレイを支えることを特徴とする請求項１に記載のディスプレイ載置具。
【請求項３】
前記ディスプレイ載置具にて、ディスプレイと人の形を模した造形物の両方または、どちらかが回転することを特徴とする請求項1に記載のディスプレイ載置具。
【請求項４】
前記ディスプレイ載置具にて、人の形状をを模した造形物が可動可能に取付くことなどを特徴とする請求項1に記載のディスプレイ載置具。
【考案の詳細な説明】
【技術分野】
【０００１】
映像画像表示装置、表示物、展示物などのディスプレイの載置具。
【背景技術】
【０００２】
映像画像表示装置、表示物、展示物などのディスプレイは印刷や映像画像表示の技術が進歩したため、平面への表示が多種多様に行うことが出来る様になったために単純な平面のディスプレイが多くなった。単純な平面的な形状となったためにディスプレイ自体に意匠性を持たせることが困難となった。そこで今までは、板、棒、箱などの形状の取付具に取付ける意匠性の少ないディスプレイ載置具だった物を、人の形を模した載置具とすることでディスプレイに意匠性を持たせたかった。
【先行技術文献】
【特許文献】
【０００３】
【特許文献１】特開2009-171087
【特許文献２】特開2008-072623
【非特許文献】
【０００４】
【非特許文献１】.
【考案の概要】
【考案が解決しようとする課題】
【０００５】
ディスプレイを安定させて載置させるには、人の形を模した形状の造形物では不安定でバランスをとるのが困難であった。人の形は様々有るためにデイスプレイを載置するには広い場所が必要となってしまう。たとえば家庭用映像表示ディスプレイなどを設置する場所は部屋の隅の限られた場所なので設置ができなくなってしまう。狭い場所でも安定して載置できる意匠性に富んだ人の形のディスプレイ載置具を提供することを目的とする。
【課題を解決するための手段】
【０００６】
人の形を模した形状の造形物を安定させて、広い場所を必要としない形として座った形とした。座った人の形の基本部を大腿部とした。大腿部とは脚の付根から膝までの中間部位を言う。そして人が椅子などに座った時に物を抱えるもしくは、載せる場所は大腿部の上部で、力学的にも大腿部は脚の付根から膝の中間なので重心として安定している。故に抱えるもしくは、載せる物をディスプレイとする形態とした。人の形を模した立体的造形は砂型、木型、金型、ゴム型などの型とすることで、複製が可能となり量産を可能とした。もしくは立体的造形を電子データとすることにより機械による立体造形、立体加工により複製が可能となる。また、電子データより、型を製作して複製することが出来る。
【考案の効果】
【０００７】
人の大腿形状の上部をディスプレイの載置部とすることで、重量バランスが優れているだけでなく、もともと人が座っている時の物を抱えるもしくは、載せている状態に近い形態なので、人とディスプレイでの異形感が少なく、ディスプレイの下または裏に人が居るように見ることが出来る。また、立体的造形形状とすることで、正面、側面、上面などのあらゆる方向から見ても、人の形状として見ることが出来る。ディスプレイ部が映像表示ディスプレイの場合は、映像を表示していない時は板形状、箱形状などの意匠性のあまり無い物だが、人の形状が有ることにより意匠性を持たせることが出来る。
【図面の簡単な説明】
【０００８】
【図１】本考案の全体および第一の実施形態を示すものである
【図２】上面から見た実施形態を示すものである
【図３】正面から見た実施形態を示すものである
【図４】背面から見た実施形態を示すものである。
【考案を実施するための形態】
【０００９】
台、机、テーブルなどの上に人の大腿形状をした造形物が載る。人の大腿形状をした造形物は前側を膝形状側、後側をお尻形状として、後側のお尻形状に垂直の穴が有り、穴には棒が立てられている。棒にはディスプレイ取付板がねじ等で取付けられている。ディスプレイ取付板は、デイスプレイの後部にねじ等で固定される。
【００１０】
ディスプレイを支える物は、人の大腿形状のお尻形状より立っている棒が1本だけなので、大型ディスプレイの場合は、棒を中心とするディスプレイの両端が倒れやすくなるので、ディスプレイの片端もしくは、両端に支える棒を追加してディスプレイ取付板へねじ等で固定して立てる。これによりディスプレイは、2点支持もしくは、3点支持することが出来るのでより安定してディスプレイを載置できる。追加した棒の下端には人の手形状をした造形物をつける。人の手形状の造形物が片端もしくは、両端に付くことにより、人がディスプレイの後ろで手を付いている様に見ることが出来る。
【００１１】
人の大腿形状をした造形物の前部の膝形状側の先に、人の膝形状の造形物を取付ける。人の膝形状の造形物は、上部を膝形状として下部を足先のように模した形状とする。人の膝形状の造形物は、上部の膝形状を人の大腿形状の造形物の前部に回転可能に取付ることにより、任意の位置へ人の膝形状の造形物を取付けることができる。
【００１２】
人の膝形状の造形物が台、机、テーブルなどの前面へ垂れて下側へ取付られる場合は、台、机、テーブルなどの下側の棚などに有る収納品などを取る際に、人の膝形状の造形物が遮蔽して取ることが出来なくなる。この際に人の膝形状の造形物を回転させて持ち上げることにより遮蔽が無くなり、棚などに有る収納品などを取ることが出来る。
【実施例】
【００１３】
図1は台1の上に,人の大腿形状の載置具2が膝形状側を前にして、お尻形状側を後ろにして置かれる。人の大腿形状の載置具2の膝形状側には、人の膝形状の付加部3が、軸、ねじなどの締結具4により取りつけられる。人の大腿形状の載置具2の上には取付具8などによりディスプレイ9が取付られる。
【００１４】
図2は上部から見た実施形態を示すものである。ディスプレイ9の中央近傍に人の大腿形状の載置具2の後部お尻形状に軸a6が回転可能に結合されている。その左右のどちらか、もしくは、両側の人の手形状の支え部10に軸b１１が結合されている。軸a6は回転可能に締結されているので、軸a6を中心として、軸b１１、人の手形状の支え部10、軸と板の締結具7、取付具8、ディスプレイ9が回転することが出来る。ディスプレイ9を図の下側より視る場合に、ディスプレイ9と見る者の角度が平行でない場合などにディスプレイ9を回転させて見る者と平行にすることなどが出来る。
【００１５】
図3は正面から見た実施形態を示すものである。人の膝形状の付加部3は、人の大腿形状の載置具2に取付けられている軸、ねじなどの締結具4を中心に回転することができる。たとえば、人の膝形状の付加部3を上部へ回転させて台1の棚にある図を省略するが、収納品などを取ることが出来る。人の膝形状の付加部3には、人の膝形状の付加部3をねじなどの締結具4を中心として回転させた時に見栄えの良い位置などで止めることのできる固定具5が取付けられている。
【００１６】
図4は背面から見た実施形態を示すものである。人の大腿形状の載置具2の後部のお尻形状部には穴が有り、軸a6が垂直に結合されている。軸a6上部には軸と板の締結具7により取付板8が図を省略するがねじなどで取付られている。取付板8の面は、ディスプレイ9が平行に密着するように取付ねじ12などで締結される。
【００１７】
ディスプレイ9は人の大腿形状の載置具2のお尻形状部より垂直に立てられた軸a６と軸と板の締結具7と取付板8を介して正面側に設置される。正面側に設置することによりディスプレイ9は人の大腿形状の載置具2の大腿形状部の上部に載置されることとなる。これによりディスプレイ9が、台1の上に座った人の大腿形状の上部に載った様に見えることが出来る。
【００１８】
ディスプレイ9は軸a6の中央近傍に取付けられるが、大型ディスプレイの場合は左右のどちらかの端もしくは、両端がディスプレイ9の中央重心より大きく離れるために倒れる可能性がある。この場合を想定して、左右のどちらかの端、もしくは両端に人の手形状の支え部10を付加する。人の手形状の支え部10の上部の穴に軸b11が垂直に結合される。軸b11の上部には軸と板の締結具7と軸b１１がねじなどにより取付けらる。軸と板の締結具7は取付板8と図は省略するがねじなどにより取付けられて、更に、取付板8とディスプレイ9が取付ねじ12などにより取付られる。
【産業上の利用可能性】
【００１９】
映像表示平面ディスプレイの場合は製造メーカーが規定のスタンドを備え付けて販売しているが、機能上のために取替えて使用する物はあったが、意匠のために取替えて使用する目的のディスプレイ載置具はほとんど無かった。意匠を重要とする個人もしくは、意匠を重要とする施設、会社などで取替えて使用する場合が想定される。
【符号の説明】
【００２０】
1 台
2 人の大腿形状の載置具
3 人の膝形状の付加部
4 軸、ねじなどの締結具
5.固定具
6.軸a
7.軸と板の締結具
8.取付板
9.ディスプレイ
10.人の手形状の支え部
11.軸b
12.取付ねじ
【図１】
0003202787.tif 000003
【図２】
0003202787.tif 000004
【図３】
0003202787.tif 000005
【図４】
0003202787.tif 000006
【手続補正書】
【提出日】平成27年12月13日(2015.12.13)
【手続補正１】
【補正対象書類名】実用新案登録請求の範囲
【補正対象項目名】請求項３
【補正方法】変更
【補正の内容】
【請求項３】
前記ディスプレイ載置具にて、ディスプレイと人の形を模した造形物の両方または、どちらかが回転可能に連結されたことを特徴とする請求項1に記載のディスプレイ載置具。
【手続補正２】
【補正対象書類名】実用新案登録請求の範囲
【補正対象項目名】請求項４
【補正方法】変更
【補正の内容】
【請求項４】
前記ディスプレイ載置具にて、ディスプレイと人の形を模した造形物の両方または、どちらかが可動可能に取付くことを特徴とする請求項1に記載のディスプレイ載置具。